(57)【要約】【課題】レンズを短時間に確実に保持することができる治具組付装置を提供する。【解決手段】  載置プレート３上に載置されたレンズ２０の周囲を取り囲む環状体２２に、前記レンズ２０の縁面を保持する少なくとも３つのレンズ保持手段４０と、各レンズ保持手段４０を環状体２２にそれぞれ固定する複数のボルト４５と、全てのレンズ保持手段４０を同時に作動させてレンズ２０に押し付ける押圧装置６０とを設ける。押圧装置６０は、載置プレート３に各レンズ保持手段４０に対応して回動自在に配設した複数の回動レバー６２と、これらの回動レバー６２をそれぞれ受け止め支持し、載置プレート３の下降時に回動レバー６２を回動起立させる複数のカムフォロア６３と、環状体２２および載置プレート３を下降させる重錘６４とで構成されている。【選択図】  図２
2010026376.tif 000002
【特許請求の範囲】
【請求項１】
上下動自在な載置プレート上に設置されレンズの周囲を取り囲む環状体と、
前記環状体に周方向に等間隔おいて進退自在に配設され、前記レンズの縁面を保持する少なくとも３つのレンズ保持手段と、
前記各レンズ保持手段を前記環状体にそれぞれ固定する複数の固定手段と、
前記全てのレンズ保持手段を同時に作動させて前記レンズに押し付ける押圧装置とを備え、
前記押圧装置は、前記載置プレートに前記各レンズ保持手段に対応して回動自在に配設された複数の回動レバーと、これらの回動レバーをそれぞれ受け止め支持し前記載置プレートの下降時に前記回動レバーを前記レンズ保持手段方向にそれぞれ回動させる複数のレバー支持部材とで構成されていることを特徴とする治具組付装置。
【請求項２】
請求項１記載の治具組付装置において、
さらに前記環状体および前記載置プレートを下降させる加圧手段を備えていることを特徴とする治具組付装置。
【請求項３】
請求項１または２記載の治具組付装置において、
前記レバー支持部材がカムフォロアであることを特徴とする治具組付装置。
【請求項４】
請求項１〜３のうちのいずれか一項記載の治具組付装置において、
前記加圧手段が重錘であることを特徴とする治具組付装置。
【請求項５】
請求項１〜４のうちのいずれか一項記載の治具組付装置において、
前記レンズ保持手段は、付勢用ばねによってレンズとは反対方向に付勢されることにより前記回動レバーに圧接され、前記回動レバーは復帰用ばねによって復帰方向に付勢されることにより前記レバー支持部材に圧接されていることを特徴とする治具組付装置。
【請求項６】
請求項１〜５のうちのいずれか一項記載の治具組付装置において、
前記載置プレートを上下動可能に保持するクランプ装置をさらに備えていることを特徴とする治具組付装置。
【発明の詳細な説明】
【技術分野】
【０００１】
本発明は、治具組付装置に関し、特に眼鏡レンズの光学面にコーティング溶液をスピンコーティングする際に用いて好適な治具組付装置に関するものである。
【背景技術】
【０００２】
従来、眼鏡レンズ等のレンズを保持するレンズ保持用治具としては、例えば特許文献１、２等に記載されている各種の治具が知られている。
【０００３】
特許文献１には、プラスチックなどの熱溶融材料によって形成した筒状体内に光学素子を圧入して３つの圧入代により３点保持し、光学素子の偏心調整と固定を行なう偏心調整治具が開示されている。この偏心調整治具は、各圧入代にそれぞれ対応して配設されるもので、ヒータによって加熱される偏心調整ピンおよびこの偏心調整ピンからの熱伝達によって加熱されるかしめピンとを備え、これらのピンによって前記圧入代を加熱軟化させることにより、光学素子の偏心調整を行うようにしている。すなわち、筒状体にレンズを圧入して圧入代によりレンズを保持すると、レンズには応力が生じる。そこで、偏心調整ピンとかしめピンとを加熱して圧入代を軟化させると、圧入代への圧入によりレンズに発生した応力が圧入代の箇所で解放されるため、レンズは圧入代の方向へ移動し、偏心が調整される。
【０００４】
特許文献２には、レンズの外周を３つのレンズホルダによって１２０°ピッチで固定する技術が開示されている。レンズホルダは、ホルダ本体、ローラおよびローラ支持部を備え、このレンズホルダをレンズに固定するときは、取付用治具および固定用治具を用いて行うようにしている。すなわち、先ず３つのレンズホルダを取付用治具に位置決めして設置し、その上にレンズを載置する。次いで、取付用治具の上側に固定用治具を載せて、ホルダ本体のローラが設けられている側の側面を、固定用治具の内周面に当接させる。これによりレンズホルダは、径方向の位置が位置決めされ、レンズの外周面とホルダ本体の外周当接部との間に若干の隙間を形成する。そして、この隙間に接着剤を充填してレンズとレンズホルダとを固定する。
【０００５】
【特許文献１】特開２００６−１７８０１９号公報
【特許文献２】特開２００７−２４８８７２号公報
【発明の開示】
【発明が解決しようとする課題】
【０００６】
しかしながら、特許文献１に記載されている偏心調整治具は、圧入代を加熱により軟化させてレンズを固定しているので、レンズを固定するために要する時間が掛かるばかりか、加熱によって軟化した圧入代がレンズの光学面に密接して硬化するため、光学面全体をコーティングすることができず、また圧入代が硬化すると治具からのレンズの取外しに手間がかかるため、スピンコーティングに用いる治具としては不適であるという問題があった。
【０００７】
特許文献２に記載されている取付用治具は、径の異なるレンズに対してはその都度レンズに適合する径の取付用治具とレンズホルダを用意しなければならず、治具とレンズホルダの種類が増加し、その管理が煩わしいという問題があった。また、レンズを接着剤で治具とレンズホルダに固定しているので、治具およびレンズホルダからのレンズの取外し作業が面倒で取扱性に欠ける。さらに、光学面に接着剤が付着することがあり、この付着物がコーティング不良の原因となるため、上記特許文献２と同様にスピンコーティングに用いる治具としては不適であるという問題があった。
【０００８】
本発明は上記した従来の問題を解決するためになされたもので、その目的とするところは、レンズを短時間に確実に保持することができる治具組付装置を提供することにある。
【課題を解決するための手段】
【０００９】
上記目的を達成するために本発明は、上下動自在な載置プレート上に設置されレンズの周囲を取り囲むリング状の環状体と、前記環状体に周方向に等間隔おいて進退自在に配設され、前記レンズの縁面を保持する少なくとも３つのレンズ保持手段と、前記各レンズ保持手段を前記環状体にそれぞれ固定する複数の固定手段と、前記全てのレンズ保持手段を同時に作動させて前記レンズに押し付ける押圧装置とを備え、前記押圧装置は、前記載置プレートに前記各レンズ保持手段に対応して回動自在に配設された複数の回動レバーと、これらの回動レバーをそれぞれ受け止め支持し前記載置プレートの下降時に前記回動レバーを前記レンズ保持手段方向にそれぞれ回動させる複数のレバー支持部材とで構成されているものである。
【００１０】
また、本発明は、上記発明において、さらに前記環状体および前記載置プレートを下降させる加圧手段を備えているものである。
【００１１】
また、本発明は、上記発明において、前記レバー支持部材をカムフォロアで構成したものである。
【００１２】
また、本発明は、上記発明において、前記加圧手段を重錘で構成したものである。
【００１３】
また、本発明は、上記発明において、前記レンズ保持手段が付勢用ばねによってレンズとは反対方向に付勢されることにより前記回動レバーに圧接され、前記回動レバーが復帰用ばねによって復帰方向に付勢されることにより前記レバー支持部材に圧接されているものである。
【００１４】
さらに、本発明は、上記発明において、前記載置プレートを上下動可能に保持するクランプ装置をさらに備えているものである。
【発明の効果】
【００１５】
本発明においては、押圧装置によって全てのレンズ保持手段を同時に作動させてレンズに押し付けるようにしているので、レンズを短時間に確実に保持することができる。特に、全てのレンズ保持手段が同時に作動してレンズを保持するから、レンズが偏心したりすることがなく、レンズの周囲を均等な押圧力で押圧保持することができる。
【００１６】
本発明においては、レバー支持部材としてカムフォロアを用いているので、回動レバーとの間の摩擦力を小さくすることができ、回動レバーを円滑に動作させることができる。
【００１７】
本発明においては、加圧手段として重錘を用いているので、格別面倒な加工を施したりする必要がなく、安価に製作することができる。
【００１８】
さらに、本発明においては、レンズ保持手段をばねによって復帰方向に付勢しているので、固定手段によるレンズ保持手段の固定を解除することにより、レンズ保持手段を自動的に初期位置に復帰させることができる。
【発明を実施するための最良の形態】
【００１９】
以下、本発明を図面に示す実施の形態に基づいて詳細に説明する。
図１は本発明に係る治具組付装置の一実施の形態を示す外観斜視図、図２は図１のII−II線断面図、図３はレンズを載置プレート上に載置した状態を示す外観斜視図、図４はレンズ保持手段によってレンズを保持した状態を示す外観斜視図、図５は治具組付装置の外観斜視図、図６はレンズ保持手段の分解斜視図、図７（ａ）、（ｂ）はクランプ装置のクランプ前の状態を示す断面図およびクランプ後の状態を示す断面図である。これらの図において、治具組付装置１は、ベースプレート２の上方に上下動可能に設けられた載置プレート３を備え、このプレート３上にレンズ保持用治具２１が載置されている。
【００２０】
前記ベースプレート２の上面には、前記載置プレート３を上下動自在に支持する３本の支持ピン４が同一円周上に、かつ周方向に等間隔おいて突設されている。これらの支持ピン４の上端部は、載置プレート３の外周寄りに形成した貫通孔５および後述する環状体２２の挿通孔２７を貫通して環状体２２の上方に延在し、下端部には載置プレート３を上方に付勢する圧縮コイルばね７がそれぞれ弾装されている。前記貫通孔５には、支持ピン４を軸支する軸受部材６が圧入固定されている。前記圧縮コイルばね７の上端は前記軸受部材６の下面に圧接され、下端が前記ベースプレート２の上面に圧接されている。
【００２１】
前記ベースプレート２の上面には、さらに前記載置プレート３を前記支持ピン４に対して固定する３つのクランプ装置１０が設けられている。クランプ装置１０は、図２および図７に示すように、前記載置プレート３の外側に位置してベースプレート２上に立設された支柱１１と、この支柱１１の上端部に上下動可能に取付けられたクランプ部材１２と、このクランプ部材１２を支柱１１に固定する固定用ねじ１３とで構成されている。支柱１１の上端部には、前記固定用ねじ１３がねじ込まれるねじ孔１４が形成されている。クランプ部材１２は、略直方体のブロックからなり、上下方向に開口し前記支柱１１が貫通する貫通孔１５と、前端面１２ａに形成され載置プレート３の外周縁部がはめ込まれるプレート保持用溝１６と、後端面１２ｂに形成された縦方向に長い長孔１７とを有している。固定用ねじ１３は、前記長孔１７に挿通され、前記支柱１１のねじ孔１４にねじ込まれることにより、クランプ部材１２を支柱１１に固定する。クランプ部材１２の支柱１１に対する取付高さは、長孔１７の範囲内で調整される。なお、貫通孔１５と長孔１７は、互いに連通している。
【００２２】
前記載置プレート３の上面には、縁摺り加工前の眼鏡レンズ（以下、レンズという）２０が載置される３つのレンズ受け１９と、レンズ２０とレンズ受け１９の周囲を取り囲む環状体２２が配設されている。
【００２３】
レンズ２０は、凸側光学面２０ａと、凹側光学面２０ｂと、縁面２０ｃとを有する外径が、例えば６０ｍｍφ、６５ｍｍφ、７０ｍｍφ、７５ｍｍφ、８０ｍｍφのメニスカスレンズからなり、凸側の光学面２０ａを上にして前記レンズ受け１９上に載置されている。
【００２４】
前記レンズ受け１９は、載置プレート３の中心の周りに同心円上に位置するように周方向に等間隔おいて配設され、止めねじ２５によって載置プレート３にそれぞれ固定されている。レンズ受け１９としては、表面が滑らかで摩擦係数の小さい材料であればよい。
【００２５】
前記レンズ保持用治具２１は、前記環状体２２と、この環状体２２に周方向に等間隔おいて配設され、レンズ２０の縁面を保持する３つのレンズ保持手段４０と、各レンズ保持手段４０を前記環状体２２にそれぞれ固定する固定手段としての３つボルト４５とを備えている。
【００２６】
前記環状体２２は、レンズ２０の外径より十分に大きい内径（例えば、１１０ｍｍφ）と、前記載置プレート３の外径より小さい外径を有するリングからなり、上、下面にそれぞれ開口する３つの挿通孔２７およびねじ取付用孔２８（図２〜図４）と、内、外周面にそれぞれ開口する３つのロッド取付用孔２９（図６）が放射状に形成されている。３つの挿通孔２７は、環状体２２の周方向に等間隔おいて形成され、前記各支持ピン４の上端部が貫通している。挿通孔２７の開口縁は、支持ピン４の挿通を容易にするために皿もみ加工によりテーパ孔を形成している。ボルト取付用孔２８は、隣り合う２つの挿通孔２７、２７間にそれぞれ位置するように環状体２２の周方向に等間隔おいて形成されている。また、ボルト取付用孔２８は、環状体２２の半径方向に長い長孔に形成されている。ロッド取付用孔２９は、同じく隣り合う２つの挿通孔２７、２７間にそれぞれ位置するように環状体２２の周方向に等間隔おいて形成すことにより、前記ボルト取付用孔２８にそれぞれ連通している。ロッド取付用孔２９の底面には、キー溝３０が形成されている。
【００２７】
さらに、環状体２２の内周面には、スピンコーティング時の遠心力によりレンズの外周から飛散したコーティング溶液のレンズ方向への跳ね返りを防止する跳ね返り防止部３１が設けられている。この跳ね返り防止部３１は、レンズ表面から遠心力によって飛散したコーティング溶液が当たったとき、斜め下方または斜め上方もしくは斜め上方および下方で、かつ環状体２２の外側、言い換えればレンズがある方向とは反対方向に反射させる斜面で構成されている。この場合、本実施の形態においては、環状体２２の内周面に断面形状がＶ字状の突状体を全周にわたって一体に突設し、その２つのテーパ面（斜面）３１ａ、３１ｂによって跳ね返り防止部３１を形成し、斜め上方および斜め下方に反射させるようにした例を示したが、これに限らず環状体２２の中心孔を上方に向かって拡径するテーパ孔または下方に向かって拡径するテーパ孔とし、そのテーパ面を跳ね返り防止部としてもよい。
【００２８】
前記環状体２２には、前記レンズ２０の縁面２０ｃの３箇所を保持する３つのレンズ保持手段４０がそれぞれ各ロッド取付用孔２９に進退自在に、かつ回転を防止されて配設されている。レンズ保持手段４０は、水平な支持ロッド４１と、この支持ロッド４１の前端に中央部がこれと直交するように接続された鉛直方向に延在する押圧ロッド４２（図６）とで構成されることにより、側面視形状が横向きのＴ字状に形成されている。支持ロッド４１は、円柱状に形成され、前記ロッド取付用孔２９を進退自在に貫通し、下面にはキー溝３０に摺動自在に嵌合するキー４４が取付けられ、これによって支持ロッド４１の回転を防止している。支持ロッド４１の上面中央には、レンズ保持手段４０を環状体２２に固定する固定手段としてのボルト４５がねじ込まれるねじ孔４６が形成されている。ボルト４５は、ボルト取付用孔２８より前記ねじ孔４６にねじ込まれている。
【００２９】
支持ロッド４１の後端部、すなわち環状体２２の外周側に突出する突出端部には、支持ロッド４１を環状体２２の径方向外方に付勢する付勢用ばね４７が装着されている。この付勢用ばね４７は、圧縮コイルばねからなり、一端が支持ロッド４１の後端に突設した鍔４８を圧接し、他端が環状体２２の外周を圧接するように装着されている。
【００３０】
前記押圧ロッド４２は、円柱状に形成され、長手方向中央部の背面側部位（レンズ側とは反対側の部位）が前記支持ロッド４１の前端に連結ピン５１によって連結されている。このため、押圧ロッド４２には、支持ロッド４１の前端部が嵌合する嵌合凹部５０が形成されている。連結ピン５１は、前端が嵌合凹部５０の垂直壁に形成した嵌合孔５３に嵌合され、後端が支持ロッド４１の前端面に形成した嵌合孔５４に嵌合されている。嵌合孔５３は、凹陥部５０の中心より上方に形成され、嵌合孔５４は、支持ロッド４１の中心より上方に変位して形成され、これによって押圧ロッド４２の支持ロッド４１に対する回転を防止している。
【００３１】
一方、押圧ロッド４２の前記嵌合凹部５０が形成されている部位とは反対側の部位、すなわちレンズと対向する前面側中央部は、レンズ２０の縁面２０ｃを押圧して保持するレンズ押圧部５５を形成している。このレンズ押圧部５５は、前記支持ロッド４１の軸線の延長上に位置し、キャップ５６を介してレンズ２０の縁面２０ｃを線接触または面接触状態で保持する。前記キャップ５６は、レンズ２０に傷が付かないように保護するため、およびレンズが確実に保持できるように、ゴム、合成樹脂等の軟質材によって形成され、押圧ロッド４２の外周を覆っている。
【００３２】
さらに、前記治具組付装置１は、全てのレンズ保持手段４０を同時に作動させることにより全ての押圧ロッド４２をレンズ２０の縁面２０ｃに同時に押し付ける押圧装置６０を備えている。この押圧装置６０は、各レンズ保持手段４０に対応して前記載置プレート３に周方向に等間隔おいて配設された３つの回動レバー６２と、これらの回動レバー６２に対応して前記ベースプレート２側に配設された３つのカムフォロア（レバー支持部材）６３と、前記環状体２２を加圧し全てのレンズ保持手段４０を同時に作動させる加圧手段としての重錘６４（図１、図２）等で構成されている。
【００３３】
前記回動レバー６２は、載置プレート３の下方に取付板６６を介して配設した水平な回動軸６７によって下端部が垂直方向に回動自在に軸支されており、上端部が載置プレート３の上方で、かつ前記支持ロッド４１の後方に延在し、上端にはレンズの保持時に前記支持ロッド４１を押圧する押圧部材６８が取付けられている。押圧部材６８は、回動レバー６２の上端部に設けたねじ取付孔に螺合されナットによって固定されることにより、回動レバー６２からの突出寸法が調整可能とされている。また、押圧部材６８の前端面中央には、半球状の突子６８ａが一体に突設されている。
【００３４】
また、回動レバー６２は、前記回動軸６７に装着された復帰用ばね６９によって復帰方向、すなわち押圧部材６８が支持ロッド４１から離間する方向に付勢されていることにより、後方に所要角度傾斜し背面が前記カムフォロア６３に常時圧接している。復帰用ばね６９は、捩りコイルばね６９からなり、前記回転軸６７に装着され、一端が取付板６６に係止され、他端が回動レバー６２に係止されている。前記カムフォロア６３は、ベースプレート２上に固定されたブロック７０の一側に回転自在に取付けられている。前記押圧部材６８の突子６８ａには、前記支持ロッド４１の後端が前記付勢用ばね４７のばね力によって常時押し付けられている。
【００３５】
前記重錘６４は、前記環状体２２より大きな外径を有する円盤からなり、ぞれぞれ３つからなるピン用孔７１およびボルト用孔７２が前記各支持ピン４およびボルト４５に対応して形成されている。これらのピン用孔７１およびボルト用孔７２は、重錘６４の上下面に開口する貫通孔で構成されている。重錘６４は、レンズ保持手段４０によるレンズ２０の保持時に環状体２２上に載置されることにより、その重力によって全てのレンズ保持手段４０を同時に作動させる。すなわち、重錘６４は、環状体２２上に載置されることにより、その重力によって環状体２２を押圧する。このため、載置プレート３は、圧縮コイルばね７によるばね力に抗してクランプ部材１２の長孔１７の範囲内で下降する。このとき、予め固定用止めねじ１３を緩めておく。載置プレート３が下降すると、回動レバー６２も載置プレート３と一体に下降する。このとき回動レバー６２は、背面がカムフォロア６３に沿って下降するため、回動軸６７を中心に図２において反時計方向に徐々に回動して起立し、押圧部材６８の突子６８ａが支持ロッド４１の後端面を付勢用ばね４７に抗して押圧する。このため、支持ロッド４１は、一定量前進して押圧ロッド４２をレンズ２０の縁面２０ｃに所定の押圧力で押し付け、これによってレンズ２０の縁面２０ｃの３箇所がレンズ保持手段４０によって保持される。このような重錘６４としては、レンズ保持手段４０による押圧力を調整するために、重さが異なる複数種の重錘が用意され、レンズ２０の中心肉厚、外径等に応じて選択使用される。
【００３６】
スピンコーティング装置によってレンズ２０の光学面２０ａ（または２０ｂ）にハードコート等のコーティング溶液を塗布する際には、先ずレンズ２０を載置プレート３上に載置する。また、固定用ねじ１３を緩めておき、重錘６４を環状体２２上に載置して環状体２２および載置プレート３を圧縮コイルばね７に抗して下降させ、回動レバー６２を回動起立させる。回動レバー６２が前方に回動して起立すると、押圧部材６８の突子６８ａが支持ロッド４１の後端面を圧縮コイルばね４７に抗して押圧する。このため、支持ロッド４１は前進して押圧ロッド４２のレンズ押圧部５５をレンズ２０の縁面２０ｃに押し付ける。そして、固定ねじ１３を締め付けてクランプ部材１２を自注１１に固定し、重錘６４を環状体２２から取外し、この押圧状態でボルト４５を締め付けて支持ロッド４１を環状体２２に固定する。しかる後、重錘６４が取り除かれた治具組付装置１から、レンズ２０を保持した状態の環状体２２を外し、スピンコーティング装置の回転軸に装着して回転軸を高速回転（例えば、３０００〜５０００ｒｐｍ）させ、コーティング溶液をレンズ２０の上になっている光学面２０ａに滴下し、遠心力で光学面２０ａ全体に均一な膜厚で塗布する。
【００３７】
光学面２０ａへのコーティング溶液の塗布が終了したら、レンズ２０を保持した環状体２２を回転軸から取り外す。そして、レンズ２０を保持した環状体２２を反転させてスピンコーティング装置の回転軸に装着し、上になっている光学面２０ｂへのコーティング溶液の塗布を上記と同様にして行なう。
【００３８】
このように上記した構造からなる環状体２２においては、３つ全てのレンズ保持手段４０を押圧装置６０によって同時に作動させてレンズ２０の縁面２０ｃを３方向から保持するようにしているので、作業者がレンズ保持手段４０を一つずつ移動させてレンズを保持する必要がなく、レンズ２０を短時間にかつ確実に保持することができる。また、全てのレンズ保持手段４０を同時に作動させることにより、レンズ２０を均等な押圧力で押圧保持することができるため、レンズ２０が環状体２２に対して偏心したりすることがなく、スピンコーティング時に偏心による振動の発生を未然に防止することができる。
【００３９】
また、押圧装置６０の構成が比較的簡単で、レンズ２０を保持するとき、重錘６４を環状体２２上に載置するだけでよく、またレンズ２０を環状体２２から取り外すときは、ボルト４５を緩めれば、レンズ保持手段４０および回動レバー６２が付勢用ばね４７および復帰用ばね６９のばね力により初期位置に自動的に復帰するので、面倒な操作を必要とせず、取扱性に優れている。
【００４０】
さらに、押圧部材６８の前端面に設けた半球状の突子６８ａによって支持ロッド４１を押圧するため、突子６８ａが支持ロッド４１に対してどのような角度で当たっても常に一定の当たり方をし、押圧部材６８による押圧力を支持ロッド４１に確実に伝達することができる。
【００４１】
突子６８ａとしては、球を押圧部材６８の前端面に回動可能に半分程度埋め込んだ構造にしてもよく、その場合は突子６８ａが支持ロッド４１に当たると回転するため、突子６８ａと支持ロッド４１との擦れによる傷や粉塵の発生を抑制することができる。
【００４２】
なお、上記した実施の形態においては、レンズ２０の縁面２０ｃを３つのレンズ保持手段４０によって保持する例について説明したが、これに限らず３つ以上、例えば４つのレンズ保持手段によって保持するようにしてもよい。
【００４３】
また、重錘６４についても形態に特に限定はなく、重錘６４の中心部分にさらにレンズ大の貫通口を設け、レンズ２０の保持状態を目視にて確認できるようにしたり、形状を多角形に変更したりしてもよい。
【産業上の利用可能性】
【００４４】
本発明に係る治具組付装置は、眼鏡レンズに限らず種々のレンズ、例えばカメラ用レンズ等にも適用可能である。
【図面の簡単な説明】
【００４５】
【図１】本発明に係る治具組付装置の一実施の形態を示す外観斜視図である。
【図２】図１のII−II線断面図である。
【図３】レンズを載置プレート上に載置した状態を示す外観斜視図である。
【図４】レンズ保持手段によってレンズを保持した状態を示す外観斜視図である。
【図５】治具組付装置の外観斜視図である。
【図６】レンズ保持手段の分解斜視図である。
【図７】（ａ）はクランプ装置のクランプ前の状態を示す断面図、（ｂ）はクランプ後の状態を示す断面図である。
【符号の説明】
【００４６】
１…治具組付装置、２…ベースプレート、３…載置プレート、４…支持ピン、７…圧縮コイルばね、１０…クランプ装置、２０…眼鏡レンズ、２１…レンズ保持用治具、２２…環状体、２７…挿通孔、４０…レンズ保持手段、４１…支持ロッド、４２…押圧ロッド、４５…ボルト、４７…付勢用ばね、６０…押圧装置、６２…回動レバー、６３…カムフォロア、６４…重錘、６８…押圧部材、６９…復帰用ばね。
【図１】
2010026376.tif 000003
【図２】
2010026376.tif 000004
【図３】
2010026376.tif 000005
【図４】
2010026376.tif 000006
【図５】
2010026376.tif 000007
【図６】
2010026376.tif 000008
【図７】
2010026376.tif 000009